(57)【特許請求の範囲】
【請求項１】
室内外を連通し既設サッシが設けられた開口に改装サッシを設けるサッシの改装方法であって、
前記既設サッシが有し、一部が外壁に覆われた既設枠の、前記外壁に覆われていない部位を切除して躯体を露出させる既設枠切除工程と、
露出された前記躯体に前記改装サッシの改装枠を、当該改装枠を貫通する固定具により、前記外壁の表面より室内側にて固定する改装枠固定工程と、
前記躯体に固定された前記改装枠と前記外壁との間に止水部材を設ける止水工程と、
を有し、
前記改装枠が載置される、下側の前記躯体に固定されて前記外壁より室外側に延出されるとともに、室外側の端部に室外側に向かって開放された切欠部を有する延出部材と、
前記改装枠の下側に固定され、下方から螺合されるビスの先端が収容されるビス収容部を有する改装枠固定部材と、を用い、
前記ビスが緩められた状態にて前記改装枠が前記延出部材上に移動されるときに前記切欠部に前記ビスが挿入され、前記切欠部に挿入された前記ビスが締め込まれることにより、前記改装枠が前記躯体に固定されることを特徴とするサッシの改装方法。
【請求項２】
請求項１に記載のサッシの改装方法であって、
前記躯体と前記改装枠との間には、前記躯体に固定される躯体固定部と、前記改装枠が固定される改装枠固定部と、を有する固定部材を介在することを特徴とするサッシの改装方法。
【請求項３】
請求項１又は請求項２に記載のサッシの改装方法であって、
前記固定具により前記改装枠が固定される固定部位は、前記室外に臨んでいることを特徴とするサッシの改装方法。
【請求項４】
請求項１乃至請求項３のいずれかに記載のサッシの改装方法であって、
前記既設枠は、上既設枠、下既設枠、左既設枠、右既設枠の４つの既設枠部材を有しており、各々の既設枠部材のうち、前記外壁に覆われていない前記既設枠部材は取り外されることを特徴とするサッシの改装方法。
【請求項５】
室内外を連通し既設サッシが設けられた開口に設けられる改装枠と、
前記改装枠に取り付けられる改装障子と、
を有し、
前記改装枠は、前記既設サッシが有し、一部が外壁に覆われた既設枠の、前記外壁に覆われていない部位を切除して露出された躯体側に、前記外壁の表面より室内側にて、貫通する固定具により固定される貫通固定部を有し、
前記外壁との間に止水部材が設けられ、
下方から螺合されるビスの先端が収容されるビス収容部を有する改装枠固定部材が前記改装枠の下側に固定され、
前記外壁より室外側に延出されるとともに、室外側の端部に室外側に向かって開放された切欠部を有する延出部材が、前記改装枠が載置される、下側の前記躯体に固定され、
前記ビスが緩められた状態にて前記改装枠が前記延出部材上に移動されるときに前記切欠部に前記ビスが挿入され、前記切欠部に挿入された前記ビスが締め込まれることにより、前記改装枠が前記躯体に固定されることを特徴とする改装サッシ。
【請求項６】
請求項５に記載の改装サッシであって、
前記改装サッシは、前記躯体に固定される躯体固定部と、前記貫通固定部が固定される改装枠固定部と、を有する固定部材を介して前記躯体に固定されることを特徴とする改装サッシ。
【請求項７】
請求項５または請求項６に記載の改装サッシであって、
前記改装枠には、前記既設枠とともに設けられていた内装材の室外側の縁部を覆うカバー部材が取り付けられることを特徴とする改装サッシ。
【請求項８】
請求項５に記載の改装サッシと、
前記改装枠固定部材と、
前記延出部材と、
前記ビスと、
前記改装サッシと前記躯体との間に介装され、前記躯体に固定される躯体固定部と、前記貫通固定部が固定される改装枠固定部と、を有し、前記改装サッシを前記躯体に固定する固定部材と、
前記改装枠に取り付けられ、前記既設枠とともに設けられていた内装材の室外側の縁部を覆うカバー部材と、を有することを特徴とする改装サッシユニット。
【発明の詳細な説明】
【技術分野】
【０００１】
本発明は、既設サッシが設けられた開口に改装サッシを設けるサッシの改装方法、改装サッシ、及び、改装サッシユニットに関する。
【背景技術】
【０００２】
既設サッシには、既設サッシが有する既設枠の一部が外壁に覆われているサッシがある。このような、既設サッシが設けられた開口を改装する場合には、外壁の一部を剥がして既設サッシを取り外した後に改装サッシを設け、外壁を元の状態に戻すことが考えられる。しかしながら、この方法は外壁を剥がすため施工が煩雑であり多大な時間と労力とが費やされるとともに外壁に施工跡が残ってしまう虞がある。このため、より簡単に、かつ綺麗に仕上げる方法として、既設枠の外壁に覆われていない部位を切除して、その上に改装サッシを設けるサッシの改装方法が知られている（例えば、特許文献１参照）。
【先行技術文献】
【特許文献】
【０００３】
【特許文献１】特開昭６２−１４８７８４号公報
【発明の概要】
【発明が解決しようとする課題】
【０００４】
しかしながら、上記のような改装方法は、水密に設けられていた既設枠が切除され、切除された既設枠の上に改装枠が設けられるため、水密性が保たれない虞があるという課題がある。
【０００５】
本発明は、かかる課題に鑑みてなされたものであり、その目的とするところは、水密性を確保しつつ容易に施工可能なサッシ改装方法、改装サッシ、及び、改装サッシユニットを提供することにある。
【課題を解決するための手段】
【０００６】
かかる目的を達成するために本発明のサッシの改装方法は、室内外を連通し既設サッシが設けられた開口に改装サッシを設けるサッシの改装方法であって、前記既設サッシが有し、一部が外壁に覆われた既設枠の、前記外壁に覆われていない部位を切除して躯体を露出させる既設枠切除工程と、露出された前記躯体に前記改装サッシの改装枠を、当該改装枠を貫通する固定具により、前記外壁の表面より室内側にて固定する改装枠固定工程と、前記躯体に固定された前記改装枠と前記外壁との間に止水部材を設ける止水工程と、を有し、前記改装枠が載置される、下側の前記躯体に固定されて前記外壁より室外側に延出されるとともに、室外側の端部に室外側に向かって開放された切欠部を有する延出部材と、前記改装枠の下側に固定され、下方から螺合されるビスの先端が収容されるビス収容部を有する改装枠固定部材と、を用い、前記ビスが緩められた状態にて前記改装枠が前記延出部材上に移動されるときに前記切欠部に前記ビスが挿入され、前記切欠部に挿入された前記ビスが締め込まれることにより、前記改装枠が前記躯体に固定されることを特徴とするサッシの改装方法である。
このようなサッシの改装方法によれば、改装枠が、既設枠が切除されて露出した躯体に当該改装枠を貫通する固定具にて固定されたとしても、外壁の表面より室内側にて固定されて外壁と改装枠との間に止水部材が設けられるので、改装サッシに改装された後も水密性を保つことが可能である。また、改装にあたり外壁を剥がさないので、容易に且つ綺麗に仕上げることが可能である。
また、改装枠は躯体に固定されて室外側に延出された延出部材上に支持されるので、改装枠を強固に固定することが可能である。また、改装枠と延出部材とは、外壁より室外側に延出された延出部材の切欠部に挿入され、改装枠固定部材側に螺合されたビスが下方から締め込まれて固定され、ビスの先端はビス収容部に収容されるので、ビスにより固定される部位から室内側へ水は浸入し難い。このため、水密性をも確保することが可能である。
【０００７】
かかるサッシの改装方法であって、前記躯体と前記改装枠との間には、前記躯体に固定される躯体固定部と、前記改装枠が固定される改装枠固定部と、を有する固定部材が介在されていることが望ましい。  
既設枠が設けられていた躯体に改装枠を設ける場合には、必ずしも改装枠の取付形状が既設枠の取付形状と一致するとは限らない。このため、上記サッシの改装方法のように、躯体と改装枠との間に、躯体に固定される躯体固定部と、改装枠が固定される改装枠固定部とを有する固定部材が介在されていると、既設枠が設けられていた躯体を、固定部材により改装枠に合わせて調整し、改装枠を躯体に強固に固定することが可能である。
【０００８】
かかるサッシの改装方法であって、前記固定具により前記改装枠が固定される固定部位は、前記室外に臨んでいることが望ましい。  
このようなサッシの改装方法によれば、改装枠が固定具により固定される固定部は、室外に臨んでいるので、室外側から固定具を改装枠に貫通させて容易に固定することが可能である。
【０００９】
かかるサッシの改装方法であって、前記既設枠は、上既設枠、下既設枠、左既設枠、右既設枠の４つの既設枠部材を有しており、各々の既設枠部材のうち、前記外壁に覆われていない前記既設枠部材は取り外されることが望ましい。  
このようなサッシの改装方法によれば、既設枠が有する４つの既設枠部材のうち、外壁に覆われていない既設枠部材は取り外されるので、切除する手間が掛からない。このため、より容易に短時間にて施工することが可能である。また、改装枠を取り付ける躯体側に余分な部材が残らないので、改装サッシをより強固に取り付けることが可能である。
【００１１】
また、室内外を連通し既設サッシが設けられた開口に設けられる改装枠と、前記改装枠に取り付けられる改装障子と、を有し、前記改装枠は、前記既設サッシが有し、一部が外壁に覆われた既設枠の、前記外壁に覆われていない部位を切除して露出された躯体側に、前記外壁の表面より室内側にて、貫通する固定具により固定される貫通固定部を有し、前記外壁との間に止水部材が設けられ、下方から螺合されるビスの先端が収容されるビス収容部を有する改装枠固定部材が前記改装枠の下側に固定され、前記外壁より室外側に延出されるとともに、室外側の端部に室外側に向かって開放された切欠部を有する延出部材が、前記改装枠が載置される、下側の前記躯体に固定され、前記ビスが緩められた状態にて前記改装枠が前記延出部材上に移動されるときに前記切欠部に前記ビスが挿入され、前記切欠部に挿入された前記ビスが締め込まれることにより、前記改装枠が前記躯体に固定されることを特徴とする改装サッシである。
このような改装サッシによれば、改装枠は、既設枠が切除されて露出した躯体に貫通する固定具にて固定される貫通固定部を有しているので、改装枠が躯体側に強固に固定される改装サッシを実現することが可能である。また、改装枠と外壁との間に止水部材が設けられているので、貫通固定部が貫通する固定具にて固定されたとしても、改装サッシに改装された後も水密性を保つことが可能である。さらに、上記改装サッシは、改装にあたり外壁を剥がさないので、容易に且つ綺麗に仕上げることが可能である。
また、改装枠は躯体に固定されて室外側に延出された延出部材上に支持されるので、改装枠を強固に固定することが可能である。また、改装枠と延出部材とは、外壁より室外側に延出された延出部材の切欠部に挿入され、改装枠固定部材側に螺合されたビスが下方から締め込まれて固定され、ビスの先端はビス収容部に収容されるので、ビスにより固定される部位から室内側へ水は浸入し難い。このため、水密性をも確保することが可能である。
【００１２】
かかる改装サッシであって、前記改装サッシは、前記躯体に固定される躯体固定部と、前記貫通固定部が固定される改装枠固定部と、を有する固定部材を介して前記躯体に固定されることが望ましい。  
既設枠が設けられていた躯体に改装枠を設ける場合には、必ずしも改装枠の取付形状が既設枠の取付形状と一致するとは限らない。このため、躯体と改装枠との間に、躯体に固定される躯体固定部と、改装枠が固定される改装枠固定部とを有する固定部材を介して改装枠が固定されるので、躯体により強固に固定される改装サッシを実現することが可能である。
【００１４】
かかる改装サッシであって、前記改装枠には、前記既設枠とともに設けられていた内装材の室内側の縁部を覆うカバー部材が取り付けられることが望ましい。  
このような階層サッシによれば、改装枠には、既設枠とともに設けられていた内装材の室外側の縁部を覆うカバー部材が取り付けられるので、既設枠とともに設けられていた内装材との納まりが良い。このため、改装枠を取り付けるために内装に加工を施す必要がないので、工期を短縮できるとともに内装を綺麗に納めることが可能であり、また、施工コストも抑えることが可能である。
【００１５】
また、前記改装サッシと、前記改装枠固定部材と、前記延出部材と、前記ビスと、前記改装サッシと前記躯体との間に介装され、前記躯体に固定される躯体固定部と、前記貫通固定部が固定される改装枠固定部と、を有し、前記改装サッシを前記躯体に固定する固定部材と、前記改装枠に取り付けられ、前記既設枠とともに設けられていた内装材の室外側の縁部を覆うカバー部材と、を有することを特徴とする改装サッシユニットである。
このような改装サッシユニットによれば、改装枠が躯体側に強固に固定される改装サッシを実現することが可能である。また、改装枠と外壁との間に止水部材が設けられ、改装された後も水密性を保つことが可能な改装サッシを備えた改装サッシユニットを実現することが可能である。また、改装にあたり外壁を剥がさないので、容易に且つ綺麗に仕上げることが可能である。
【発明の効果】
【００１６】
本発明によれば、水密性を確保しつつ容易に施工可能なサッシの改装方法、改装サッシ、及び、改装サッシユニットを提供することが可能である。
【図面の簡単な説明】
【００１７】
【図１】本発明の一実施形態に係るサッシの改装方法により取り付けられた改装サッシ及び改装サッシユニットの縦断面図である。
【図２】本発明の一実施形態に係るサッシの改装方法により取り付けられた改装サッシ及び改装サッシユニットの横断面図である。
【図３】改装サッシの上部の取り付け方法を説明するための図である。
【図４】改装サッシの下部の取り付け方法を説明するための図である。
【図５】改装サッシの左側側部の取り付け方法を説明するための図である。
【発明を実施するための形態】
【００１８】
以下、本発明の一実施形態に係るサッシの改装方法、改装サッシ、及び、改装サッシユニットについて図面を参照して説明する。  
本実施形態のサッシの改装方法は、室内外を連通する開口に既に設けられている既設サッシの一部を切除して新たな改装サッシを取り付けるサッシの改装方法である。
【００１９】
以下の説明においては、既設サッシが有し建物に既に設けられている既存の既設枠と、既設枠の一部が切除されて露出した躯体に固定部材を介して開口の内側から取り付けられる改装サッシとが登場するが、同じ名称を有する部位、部材にて、わかりにくい場合には、各名称の前に「既設」または「改装」を付して説明する。例えば、既設枠が有する下枠や縦枠等は、既設下枠、既設縦枠等とし、改装サッシが有する縦枠や障子等は、改装縦枠、改装障子等として説明する。
【００２０】
また、以下の説明においては、建物等に取り付けられた状態の既設枠及び改装サッシを屋内側から見たときに、上下となる方向を上下方向、左右となる方向を左右方向または見付け方向、屋内外方向である奥行き方向を見込み方向として示す。また、改装サッシが備える各部材は、単体の状態であっても開口に取り付けられた状態で上下方向、見付け方向、見込み方向等となる方向にて方向を特定して説明する。また、開口の上部に取り付けられる枠部材の下側、開口の下部に取り付けられる枠部材の上側、開口の左側に取り付けられる枠部材の右側、開口の右側に取り付けられる部材の左側は、開口の中央側とし、反対側を開口の外側または外方として示す。
【００２１】
図１、図２に示すように、改装サッシ１０は、例えば、建物の室内外を連通する開口２に設けられていた既設サッシ５０の既設枠５１が一部を除いて取り除かれた躯体３に取り付けられる引き違い窓用のサッシである。
【００２２】
既設枠５１は、図３〜５に示すように引き違い窓用の既設サッシ５０を構成しており、躯体３に室外側から固定する既設固定ヒレ部５１ａを有している。既設枠５１が躯体３に固定された状態では、既設固定ヒレ部５１ａを室外側から覆うように外壁５が設けられている。このため、既設枠５１を全て取り外すためには、外壁５の一部を剥がす必要がある。また、剥がした外壁５は元に戻す必要があり、外壁５の一部を剥がし、修復する作業は繁雑であるとともに、時間と費用とを必要とする。また、修復された外壁５は、修復跡が残る場合があり見映えが悪くなる虞があるとともに止水性が低下する虞がある。
【００２３】
そこで、本願発明のサッシの改装方法では、既設枠５１の、外壁５に覆われている部位を、他の部位から切り離し、切り離した他の部位を取り除き、既設枠５１の一部が残存する躯体３に改装サッシ１０を設けることとした。このため、改装サッシ１０が取り付けられた状態を示す図１及び図２では、既設枠５１の既設固定ヒレ部５１ａ以外の部位は切除されており、既設固定ヒレ部５１ａだけが残されている。すなわち、既設枠５１は既設固定ヒレ部５１ａを残して切除されている。また、額縁６や床材等の内装材７は、そのまま残されている。
【００２４】
改装サッシ１０は、建物等の開口２に直接取り付け可能な一般的なサッシである。すなわち、改装専用のサッシではない。改装サッシ１０の改装枠２０も引き違い障子用の枠体であり、改装サッシ１０の改装障子１２が案内される改装レール２１ａ、２１ｂ、２２ａ、２２ｂを有する改装上枠２１及び改装下枠２２と、左右の改装縦枠２３が矩形状に枠組みされている。尚、改装上枠２１、改装下枠２２、及び、左右の改装縦枠は押出成形部材であり、左右の改装縦枠２３は改装障子１２ａ、１２ｂの戸先框との係合部分の形状を除いて互いに左右対称の形状をなしている。
【００２５】
改装枠２０の躯体３への取り付けは、改装上枠２１を固定する上固定部、改装下枠２２を固定する下固定部、左右の改装縦枠２３を固定する側固定部で互いに異なるため、各固定部及び固定部における固定方法を、上固定部、下固定部、側固定部に分けて説明する。
【００２６】
上固定部にて固定される改装上枠２１は、固定部材としての固定金具３０にビス止めされる改装上固定ヒレ部２１ｃと、改装上固定ヒレ部２１ｃの下端に設けられほぼ水平な面をなす上面板部２１ｄと、上面板部２１ｄの室外側の縁から垂設された網戸上レール２１ｅと、網戸上レール２１ｅと見込み方向に間隔を隔てて設けられた外障子上レール２１ａと、外障子上レール２１ａと間隔を隔てるとともに改装上固定ヒレ部２１ｃと断熱材２１ｇを介して垂設された内障子上レール２１ｂと、内障子上レール２１ｂの上端から室内側に延出されて上の額縁６に当接される上額縁当接部２１ｆと、を有している。
【００２７】
改装上枠２１は、室内側にて上額縁当接部２１ｆが額縁６に当接しているだけなので、改装上枠２１だけでは額縁６の室外側に縁部が露出してしまう。このため、内装材としての額縁６の縁部を覆うカバー部材としての上カバー部材２６が設けられている。内障子上レール２１ｂの上端から室内側に延出されている上額縁当接部２１ｆは、上の額縁６の下面６ａより上方に位置するため、内障子上レール２１ｂ及び上額縁当接部２１ｆと額縁６の室外側の面６ｂとで上方に窪む上凹部２１ｈが形成される。上カバー部材２６は、この上凹部２１ｈを覆うとともに上凹部２１ｈに嵌合され躯体３にビス止めされる上枠カバー部２６ａと、額縁６の室外側にて下面を覆う上額縁カバー部２６ｂとを有している。
【００２８】
上固定部の固定方法は、図３に示すように、既設サッシ５０の既設障子（不図示）が取り外された状態で、まず、既設枠５１の、外壁に覆われていない部位、すなわち既設固定ヒレ部５１ａ以外の部位を切除する（既設枠切除工程）。このとき、できるだけ既設枠５１が残存する部位を小さくする方が改装上枠２１を固定しやすいが、躯体３を損傷しない程度の位置で、既設固定ヒレ部５１ａとその他の部位とを分離する。ここで、既設枠５１において躯体３側に残存する部位は、切断の作業上、既設固定ヒレ部５１ａのみでない場合もあるが、以下の説明では、切断して残存する部位を既設固定ヒレ部５１ａとして説明する。
【００２９】
次に、既設枠５１が切断されて露出された躯体３に改装上枠２１を固定するための固定部材としての固定金具３０を、躯体３との間に水密材３５を介してビス止めする。固定金具３０は、躯体３の下面３ａにビス止めされる板状の躯体固定部３０ａと、躯体固定部３０ａの室外側の縁から、躯体固定部３０ａとほぼ直角に形成され改装上枠２１が固定される改装枠固定部３０ｂとを有している。即ち固定金具３０は、断面がＬ字状をなす板状の部材である。固定金具３０は躯体固定部３０ａが躯体３にビス止めされると外壁面５ａより室内側にて垂設され、改装上枠２１が固定される面３０ｃが室外に臨むように構成されている。
【００３０】
次に、改装上枠２１を固定金具３０に固定する。改装上枠２１は、改装専用サッシではないので、改装サッシ１０を直接躯体３に取り付けるための改装上固定ヒレ部２１ｃが設けられている。本実施形態では、改装上固定ヒレ部２１ｃを固定金具３０の改装枠固定部３０ｂに固定するため、図３に示すように、改装上固定ヒレ部２１ｃを改装枠固定部３０ｂや施工箇所に合わせて適宜切除して（破線部分）使用する。このとき、改装上固定ヒレ部２１ｃには、切除しやすいように、改装上固定ヒレ部２１ｃに薄肉となる溝部が設けられていてもよい。ここで、不要な部位が切除された改装上固定ヒレ部２１ｃが貫通固定部に相当する。
【００３１】
改装上固定ヒレ部２１ｃの一部を切除した改装上枠２１の、残存している改装上固定ヒレ部２１ｃを改装枠固定部３０ｂの室外側の面３０ｃに室外側から当接させて、改装上固定ヒレ部２１ｃを貫通する固定具としてのセルフタップビス６０にて固定する（改装枠固定工程）。ここで、改装上固定ヒレ部２１ｃが改装枠固定部３０ｂの室外側の面にセルフタップビス６０にて固定されている部位が、固定部位に相当する。
【００３２】
その後、改装上固定ヒレ部２１ｃが取り付けられて形成された上凹部２１ｈに上カバー部材２６を嵌合させて、既設枠５１とともに設けられていた額縁６の室内側の縁部を覆う。そして、上カバー部材２６が嵌合されて、上凹部２１ｈ内にて上カバー部材２６と改装上枠２１の上額縁当接部２１ｆとが重なり合う部位を、ビス６４にて躯体３に固定する。
【００３３】
最後に、改装枠固定部３０ｂと改装上固定ヒレ部２１ｃとがセルフタップビス６０にて固定されている固定部位の室外側となる、外壁５と改装上枠２１の改装上固定ヒレ部２１ｃとの間に、バックアップ材６１を設け、その室外側に止水部材６２を充填する（止水工程）。
【００３４】
図３においては、外障子上レール２１ａと内障子上レール２１ｂとの間に嵌合される上キャップ部材６５が設けられているが、必ずしも設けられていなくてもよい。
【００３５】
次に下固定部について説明する。以下の説明において、上固定部と同様の部位及び施工部分については一部説明を省略する。
【００３６】
下固定部にて固定される改装下枠２２は、躯体３に支持される脚部２２ｃと、脚部２２ｃの上端側にて室外側に延出されて上方に立ち上がった外障子下レール２２ａと、外障子下レール２２ａの室外側に設けられ、外障子下レール２２ａと間隔を隔てて対向する網戸下レール２２ｇと、外障子下レール２２ａの下端から下方に延出された室外延出部２２ｄと、室外延出部２２ｄの下端から室外側に突出された室外突出部２２ｅと、室外延出部２２ｄの下端から室内側に延出されて脚部２２ｃ側と連結される連結部２２ｆと、脚部２２ｃの上端側にて断熱材２２ｌを介して室外側に延出されて上方に立ち上がった内障子下レール２２ｂと、室内側に延出された室内延出部２２ｈと、を有している。そして、外障子下レール２２ａと内障子下レール２２ｂとを繋ぐ部位、脚部２２ｃ、室外延出部２２ｄ、及び、連結部２２ｆに囲まれた部位が中空部をなしている。また、室外突出部２２ｅの先端は、鉤状に形成されており、後述する下枠側係合部材２９が係合される鉤状部２２ｉが形成されている。
【００３７】
改装下枠２２は、躯体３上に固定される下固定金具３１と、下固定金具３１に固定されて躯体３に沿うように外壁５より室外側に突出される延出部材としての躯体側突出部材３２と、改装下枠２２側に固定され躯体側突出部材３２と係合する改装枠固定部材としての下枠側係合部材２９とにより、下枠側係合部材２９に設けられたビス６６によって躯体３に固定されるように構成されている。
【００３８】
下固定金具３１は、上下方向に互いに間隔を隔てた上板部３１ａ及び下板部３１ｂと、上板部３１ａと下板部３１ｂとを室外側にて連結する連結板部３１ｃとを有している。
【００３９】
下固定金具３１は、下板部３１ｂが躯体３にビス止めされ、上板部３１ａと連結板部３１ｃとには、上板部３１ａの上面と連結板部３１ｃの室外側の面に当接される躯体側突出部材３２がビス止めされる。躯体３に固定された下固定金具３１の連結板部３１ｃの室外側の面は躯体３の室外側の面との間には僅かに空隙が設けられ、空隙に水密材３５が設けられている。
【００４０】
下固定金具３１にビス止めされた躯体側突出部材３２は、躯体３の室外側の面に沿って下方に延出され、外壁５の上面に突き当たる位置で外壁５の上面に沿って外壁５より室外側に突出されている。室外側に突出された先端には、室外側に開放された切欠部３２ｄが、見付け方向に適宜間隔を隔てて複数箇所に設けられている。
【００４１】
下枠側係合部材２９は、改装下枠２２の連結部２２ｆの下面にビス止めされる下板部２９ａと、下板部２９ａの室外側に設けられ下方に開放された凹部を形成するビス収容部としての係合凹部２９ｂと、係合凹部２９ｂの室外側に突出されて改装下枠２２の鉤状部２２ｉに係合される係合突起２９ｃとを有している。係合凹部２９ｂは、開放側が狭く、内側、即ち開放された部位より上側が広い空間２９ｄを有している。この空間２９ｄ内には、プレートナット２８が収容されており、プレートナット２８には、係合凹部２９ｂの下方から開放部を通って進入するビス６６が螺合されている。プレートナット２８に螺合されたビス６６は、見付け方向に適宜間隔を隔てて複数箇所に設けられている。
【００４２】
また、既設枠５１とともに設けられていた内壁材７の室外側の縁部を覆い、改装下枠２２の室内延出部２２ｈが係合されるカバー部材としての下カバー部材２７も設けられている。下カバー部材２７は、内壁材７の室外側にて上方からビス止めされている。
【００４３】
下固定部の固定方法は、図４に示すように、既設サッシ５０の既設障子（不図示）が取り外された状態で、まず、既設枠５１の、外壁に覆われていない部位、すなわち既設固定ヒレ部５１ａ以外の部位を切除する（既設枠切除工程）。
【００４４】
次に、既設枠５１が切断されて露出された躯体３に、下固定金具３１を躯体３との間に水密材３５を介してビス止めする。また、下カバー部材２７を内壁材７にビス止めして内装材７の室外側の端部を覆う。ビス止めされた下固定金具３１の上板部３１ａの上面と連結板部３１ｃの室外側の面に躯体側突出部材３２を当接させて躯体側突出部材３２を下固定金具３１にビス止めする。このとき、下固定金具３１の下側であって躯体３の室外側の躯体側突出部材３２との間に水密材３５を介在させておく。下カバー部材２７と躯体側突出部材３２とが取り付けられた状態で、内壁材７の室外側の面に沿う位置にて、下カバー部材２７と躯体側突出部材３２との間にスリット２７ｂが形成されている。
【００４５】
次に、改装下枠２２にも改装サッシ１０を直接躯体に取り付けるための改装下固定ヒレ部２２ｍが設けられているので、改装下固定ヒレ部２２ｍを施工箇所に合わせて適宜切除して（破線部分）使用する。改装下枠２２の切除された後の改装下固定ヒレ部２２ｍが前述した脚部２２ｃをなしている。また、改装下枠２２には、下枠側係合部材２９の係合突起２９ｃを鉤状部２２ｉに係合させるとともに改装下枠２２の連結部２２ｆに下枠側係合部材２９をビス止めしておく。このとき、下枠側係合部材２９の係合凹部２９ｂには、プレートナット２８を挿入するとともに、プレートナット２８には下方から開放部に進入させてビス６６を緩く螺合しておく。
【００４６】
次に、下枠側係合部材２９が取り付けられた改装下枠２２を躯体３側に取り付ける。このとき、改装下枠２２の室内延出部２２ｈの室内側縁に設けられた当接壁２２ｊの上端を
下カバー部材２７の突起２７ａに係合させるとともに、当接壁２２ｊから室内側に向かって突出されている室内突出片２２ｋを下カバー部材２７と躯体側突出部材３２との間にスリットに挿入し、当接壁２２ｊの下端を、スリット２７ｂを形成する躯体側突出部材３２の上縁に係合させる。このとき、緩められているビス６６が設けられた下枠側係合部材２９が躯体側突出部材３２の先端側に近接し、改装下枠２２が取り付けられる際にビス６６が躯体側突出部材３２の切欠部３２ｄ（Ａ矢視参照）に挿入される。この状態にて、改装下枠２２の脚部２２ｃは、水密材３５を介して下枠側係合部材２９上に載置される。そして、切欠部３２ｄに挿入されたビス６６を締め込んで、下枠側係合部材２９と躯体側突出部材３２とを締結することにより、改装下枠２２を取り付けが完了する。
【００４７】
次に側固定部について説明する。  
左右の改装縦枠２３は、改装障子１２ａ、１２ｂの戸先框との係合部分は相違するが、躯体への取り付け方法は同じなので、ここでは、室内側から見て左側に位置する改装縦枠２３を例に挙げて説明する。左の改装縦枠２３は、側固定金具３３にビス止めされる改装側固定ヒレ部２３ａと、改装側固定ヒレ部２３ａの右端、すなわち開口２の中央側の端に設けられ見込み方向に沿う面を有する中央面板部２３ｂと、中央面板部２３ｂの室外側の縁から開口２の中央側に突出されて網戸の戸先框と係合する網戸係合部２３ｃと、中央面板部２３ｂの室内側の縁に設けられ額縁６に当接される側額縁当接部２３ｄを有している。また、中央面板部２３ｂにおける、開口２の中央側には、改装外障子の戸先框と係合する戸先係合部２３ｅと、開口２の中央側から中央面板部２３ｂに嵌合されるカバー部材としての側カバー部材２５が係止される係止片２３ｆが設けられている。
【００４８】
中央面板部２３ｂに嵌合される側カバー部材２５は、改装縦枠２３の室内側のほぼ半分を覆うとともに、室内側に、開口２の外周側に窪む凹部２５ａを有している。また、凹部２５ａの室内側には、額縁６の室外側の縁部を覆う額縁カバー部２５ｂが設けられている。凹部２５ａには、凹部２５ａを覆うカバーピース２４が開口２の中央側から嵌合されている。
【００４９】
側固定部の固定方法は、図５に示すように、既設サッシ５０の既設障子（不図示）が取り外された状態で、まず、既設枠５１の、外壁に覆われていない部位、すなわち既設固定ヒレ部５１ａ以外の部位を切除する（既設枠切除工程）。
【００５０】
次に、既設枠５１が切断されて露出された躯体３と改装縦枠２３とを固定するための固定金具３０を、躯体３との間に水密材３５を介してビス止めする。固定金具３０は、上固定部にて使用している固定金具３０と同一の部材であり、側固定部では躯体３の側面３ｃに躯体固定部３０ａがビス止めされ、改装縦枠２３が枠固定部３０ｂにビス止めされる。固定金具３０は躯体固定部３０ａが躯体３にビス止めされると外壁面５ａより室内側にて、開口２の中央側に突出され、改装縦枠２３が固定される面３０ｃが室外に臨むように構成されている。
【００５１】
次に、改装縦枠２３を固定金具３０に固定する。改装縦枠２３も、直接躯体３に取り付けるための改装側固定ヒレ部２３ａを、固定金具３０の改装枠固定部３０ｂに固定するため、図５に示すように、改装側固定ヒレ部２３ａを改装枠固定部３０ｂや施工箇所に合わせて適宜切除して（破線部分）使用する。ここで、不要な部位が切除された改装側固定ヒレ部２３ａが貫通固定部に相当する。
【００５２】
改装側固定ヒレ部２３ａの一部を切除した改装縦枠２３の、残存している改装側固定ヒレ部２３ａを改装枠固定部３０ｂの室外側の面３０ｃに室外側から当接させて、改装側固定ヒレ部２３ａを貫通するセルフタップビス６０にて固定する（改装枠固定工程）。ここで、改装側固定ヒレ部２３ａを改装枠固定部３０ｂの室外側の面３０ｃにセルフタップビス６０にて固定されている部位が、固定部位に相当する。そして、固定金具３０を介して躯体３に固定された改装縦枠２３にカバー部材としての側カバー部材２５を嵌合し、凹部２５ａと改装縦枠２３の中央面板部２３ｂとが重なり合う部位をビスにて躯体３に固定した後に、凹部２５ａにカバーピース２４を嵌合する。このとき、既設枠５１とともに設けられていた額縁６を覆う額縁カバー部２５ｂも額縁６にビス止めする。側カバー部材２５が取り付けられると額縁６の室外側の縁部が覆われる。
【００５３】
最後に、改装枠固定部３０ｂと改装側固定ヒレ部２３ａとがセルフタップビス６０にて固定されている部位の室外側となる、外壁５と改装縦枠２３の中央面板部２３ｂとの間に、バックアップ材６１を設け、その室外側に止水部材６２を充填する（止水工程）。
【００５４】
本実施形態においては、改装枠２０及び改装障子１２ａ、１２ｂを有する改装サッシ１０と、改装上枠２１及び改装縦枠２３と躯体３との間に介在される固定部材３０、改装下枠２２と躯体３との間に設けられる下枠側係合部材２９、下固定金具３１、躯体側突出部材３３、上カバー部材２６、下カバー部材２７、側カバー部材２５、プレートナット２８、ビス６６が改装サッシユニット１を構成している。
【００５５】
本実施形態のサッシの改装方法、改装サッシ１０及び改装サッシユニット１によれば、改装上枠２１、改装縦枠２３が、既設枠５１の既設固定ヒレ部５１ａ以外の部位が切除されて露出した躯体３に改装上枠２１の改装上固定ヒレ部２１ｃ及び改装縦枠２３の改装側固定ヒレ部２３ａを貫通するセルフタップビス６０にて固定されたとしても、外壁面５ａより室内側にて固定されて外壁５と改装上枠２１及び改装縦枠２３との間に止水部材６２が設けられるので、改装サッシ１０に改装された後も水密性を保つことが可能である。また、改装にあたり外壁５を剥がさないので、容易に且つ綺麗に仕上げることが可能である。
【００５６】
既設枠５１が設けられていた躯体３に改装枠２０を設ける場合には、必ずしも改装枠２０の取付形状が既設枠５１の取付形状と一致するとは限らない。このため、本実施形態のサッシの改装方法のように、躯体３と改装枠２０との間に、躯体３に固定される躯体固定部３０ａと、改装枠が固定される改装枠固定部３０ｂとを有する固定金具３０が介在されていると、既設枠５１が設けられていた躯体３を固定金具３０にて改装枠２０に合わせて改装枠２０を固定することが可能である。
【００５７】
また、セルフタップビス６０により改装枠２０が固定される、固定金具３０の改装枠固定部３０ｂの面３０ｃは、室外に臨んでいるので、室外側からセルフタップビス６０を改装枠２０の改装上固定ヒレ部２１ｃ及び改装側固定ヒレ部２３ａに貫通させて容易に固定することが可能である。
【００５８】
また、上記実施形態における下固定部のように、改装枠２０が、躯体３に固定されて室外側に延出された躯体側突出部材３２上に支持される構成とすると、改装枠２０を強固に固定することが可能である。また、改装枠２０と躯体側突出部材３２とは、外壁５より室外側に延出された躯体側突出部材３２の切欠部３２ｄに挿入され、下枠側係合部材２９側に螺合されたビス６６が下方から締め込まれて固定され、ビス６６の先端は係合凹部２９ｂに収容されるので、ビス６６により固定される部位から室内側へ水は浸入し難い。このため、水密性をも確保することが可能である。
【００５９】
また、改装枠２０には、既設枠５１とともに設けられていた額縁６などの内装材７の室外側の縁部を覆う上カバー部材２６、下カバー部材２７、側カバー部材２５が取り付けられるので、既設枠５１とともに設けられていた額縁６などの内装材７との納まりが良い。このため、改装枠２０を取り付けるために内装に加工を施す必要がないので、工期を短縮できるとともに内装を綺麗に納めることが可能であり、また、コストも抑えることが可能である。
【００６０】
上記実施形態においては、改装サッシ１０が取り付けられる躯体３に設けられていた既設枠５１である上下及び左右の既設枠の一部がいずれも外壁５に覆われている部位を有している例について説明したが、外壁５に覆われていない既設枠部材を有する既設枠の場合には、既設枠を切断することなく、外壁５に覆われていない既設枠部材は躯体から取り外してから改装枠を取り付ける。このように、既設枠を取り外すことにより、切除する手間が掛からず、より容易に短時間にて施工することが可能である。また、改装枠を取り付ける躯体側に余分な部材が残らないので、改装サッシをより強固に取り付けることが可能である。
【００６１】
上記実施形態においては、貫通固定部としての改装上固定ヒレ部２１ｃ及び改装側固定ヒレ部２３ａをセルフタップビス６０にて固定する例について説明したが、改装上固定ヒレ部２１ｃ及び改装側固定ヒレ部２３ａに予め貫通孔を設け、タップ加工された固定金具３０等にビス止めしても良い。また、上記実施形態においては、改装上固定ヒレ部２１ｃ及び改装側固定ヒレ部２３ａを、断面がＬ字状をなす固定部材としての固定金具３０を介して躯体３に固定する例について説明したが、固定部材はこれに限るものではない。固定部材は、たとえば、断面がＬ字状以外の固定金具であっても良いし、木製や金属製のブロック状の部材であっても良い。また、上記実施形態においては、改装上固定ヒレ部２１ｃ及び改装側固定ヒレ部２３ａを室外側から室内側に進入するビスにて固定する例について説明したが、開口２の中央側から外方に向かって進入するビスにて固定しても良い。また、既設枠２０の固定は、上記実施形態のように、固定部材を介して躯体３に固定しても良いし、直接躯体３に固定しても良い。このとき、固定部材及び躯体に固定するためのビスの進入方向は、見込み方向に沿う方向であっても、開口２の中央側から外方に向かう方向であってもよい。
【００６２】
上記実施形態では、引き違い障子を備える既設枠との内周側に設けられる引き違い障子を備えた改装サッシ及び改装サッシユニットを例に挙げて説明したが、既設枠も改装サッシも、例えば、開き窓、辷り出し窓及びＦＩＸ障子窓など、建具の種類及び組み合わせは、何れの形態であっても構わない
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６３】
１  改装サッシユニット、２  開口、３  躯体、５  外壁、５ａ  外壁面、
６  額縁、７  内装材、１０  改装サッシ、２０  改装枠、２１  改装上枠、
２１ｃ  改装上固定ヒレ部、２２  改装下枠、２３  改装縦枠、
２３ａ  改装側固定ヒレ部、２５  側カバー部材、２６  上カバー部材、
２７  下カバー部材、２８  プレートナット、２９  下枠側係合部材、
２９ｂ  ビス収容部、３０  固定金具、３０ａ  枠体固定部、
３０ｂ  改装枠固定部、３１  下固定金具、３２  躯体側突出部材、３２ｄ  切欠部、
５０  既設サッシ、５１  既設枠、６０  セルフタップビス、６２  止水部材、
６６  ビス
【図１】
0005627963.tif 000002
【図２】
0005627963.tif 000003
【図３】
0005627963.tif 000004
【図４】
0005627963.tif 000005
【図５】
0005627963.tif 000006